(57)【特許請求の範囲】
【請求項１】
共用部の負荷と複数の専有部の負荷とに系統電源からの電力を供給する電力供給システムであって、
前記系統電源と前記複数の専有部の負荷とを接続する第一の配電線と、
前記共用部に設けられ、前記第一の配電線とは異なる第二の配電線を介して前記第一の配電線に接続され、前記系統電源からの電力を充放電可能であると共に停電が発生した場合に自立運転可能である蓄電装置と、
前記自立運転時に前記蓄電装置から電力が供給される、前記第一の配電線及び前記第二の配電線とは異なる自立運転用配電線と、
前記系統電源及び前記蓄電装置から前記各専有部の負荷へ供給される電力量を、前記専有部毎に検知する電力メーターと、
前記停電が発生すると、前記各専有部の負荷への電力の供給元を、前記系統電源から前記蓄電装置に切り替える切替部と、
を具備し、
前記共用部の負荷には、前記第一の配電線における前記系統電源と前記複数の専有部の負荷との間において上流側から下流側へと順番に接続される第一の負荷及び第二の負荷が含まれ、
前記蓄電装置は、
前記第二の配電線を介して前記第一の配電線における前記共用部の第一の負荷よりも上流側に接続されると共に、前記自立運転用配電線を介して前記切替部に接続され、
前記切替部は、
前記第一の配電線における前記共用部の第一の負荷と第二の負荷との間に設けられ、
前記第一の配電線及び前記自立運転用配電線のうち一方を電力流通可能とすると共に、他方を電力流通不能に切り替え可能であり、
前記停電が発生すると、前記第一の配電線を電力流通不能とすると共に前記自立運転用配電線を電力流通可能に切り替えることにより、前記共用部の負荷への電力の供給元を、前記系統電源から前記蓄電装置に切り替え、
前記停電が発生した際の前記各専有部の負荷への電力の供給元の切り替え動作によって、前記蓄電装置から前記共用部の第二の負荷への電力供給を行うと共に、前記共用部の第一の負荷への電力供給を停止する、
電力供給システム。
【請求項２】
前記停電が発生すると、前記蓄電装置から前記各専有部の一部の負荷への電力供給を停止する停止部をさらに具備する、
請求項１に記載の電力供給システム。
【発明の詳細な説明】
【技術分野】
【０００１】
本発明は、共用部の負荷と専有部の負荷とに電力を供給する電力供給システムの技術に関する。
【背景技術】
【０００２】
従来、共用部の負荷と専有部の負荷とに電力を供給する電力供給システムの技術は公知となっている。例えば、特許文献１に記載の如くである。
【０００３】
特許文献１に記載の電力供給装置は、集合住宅の共用部（共用部分）の負荷（負荷設備）に蓄電装置（蓄電池）及び系統電源（電力系統）から電力を供給可能に構成される。特許文献１に記載の電力供給装置は、停電を検知すると交流切替スイッチを動作させて共用部及び専有部を系統電源から切り離し、共用部の負荷に蓄電装置からの電力を供給する。これによって、特許文献１に記載の電力供給装置は、停電時でも共用部の負荷を稼動させることができる。
【先行技術文献】
【特許文献】
【０００４】
【特許文献１】特開２０１５−３７３５４号公報
【発明の概要】
【発明が解決しようとする課題】
【０００５】
しかしながら、特許文献１に記載の電力供給装置は、蓄電装置からの電力を専有部の負荷へ供給することができないため、停電発生時に専有部で負荷を稼動することができなくなってしまう。
【０００６】
この場合、専有部、すなわち各住宅の住人は、共用部に設けられるコンセント（共用部に供給される蓄電装置の電力）を使用して負荷を稼動することとなる。このような構成においては、稼動できる負荷が持ち運び容易なもの（例えば、携帯電話の充電器等）に限られてしまう。
【０００７】
また、住宅（住人）の数に対してコンセントの数が足りずに一部の住人が電力を使用することができなかったり、機器によって消費電力量に差が生じてしまう。また、住宅の数に対して十分な数のコンセントを共用部に設けることは現実的ではない。すなわち、停電時に共用部のコンセントを専有部の住人が使用する構成では、専有部の住人が電力を公平に使用することが困難であった。
【０００８】
本発明は、以上の如き状況を鑑みてなされたものであり、停電時に各専有部の負荷へと電力を供給することができ、且つ停電時において各専有部の住人が電力を公平に使用することができる電力供給システムを提供するものである。
【課題を解決するための手段】
【０００９】
本発明の解決しようとする課題は以上の如くであり、次にこの課題を解決するための手段を説明する。
【００１０】
即ち、共用部の負荷と複数の専有部の負荷とに系統電源からの電力を供給する電力供給システムであって、前記系統電源と前記複数の専有部の負荷とを接続する第一の配電線と、前記共用部に設けられ、前記第一の配電線とは異なる第二の配電線を介して前記第一の配電線に接続され、前記系統電源からの電力を充放電可能であると共に停電が発生した場合に自立運転可能である蓄電装置と、前記自立運転時に前記蓄電装置から電力が供給される、前記第一の配電線及び前記第二の配電線とは異なる自立運転用配電線と、前記系統電源及び前記蓄電装置から前記各専有部の負荷へ供給される電力量を、前記専有部毎に検知する電力メーターと、前記停電が発生すると、前記各専有部の負荷への電力の供給元を、前記系統電源から前記蓄電装置に切り替える切替部と、を具備し、前記共用部の負荷には、前記第一の配電線における前記系統電源と前記複数の専有部の負荷との間において上流側から下流側へと順番に接続される第一の負荷及び第二の負荷が含まれ、前記蓄電装置は、前記第二の配電線を介して前記第一の配電線における前記共用部の第一の負荷よりも上流側に接続されると共に、前記自立運転用配電線を介して前記切替部に接続され、前記切替部は、前記第一の配電線における前記共用部の第一の負荷と第二の負荷との間に設けられ、前記第一の配電線及び前記自立運転用配電線のうち一方を電力流通可能とすると共に、他方を電力流通不能に切り替え可能であり、前記停電が発生すると、前記第一の配電線を電力流通不能とすると共に前記自立運転用配電線を電力流通可能に切り替えることにより、前記共用部の負荷への電力の供給元を、前記系統電源から前記蓄電装置に切り替え、前記停電が発生した際の前記各専有部の負荷への電力の供給元の切り替え動作によって、前記蓄電装置から前記共用部の第二の負荷への電力供給を行うと共に、前記共用部の第一の負荷への電力供給を停止するものである。
【００１１】
前記停電が発生すると、前記蓄電装置から前記各専有部の一部の負荷への電力供給を停止する停止部をさらに具備することとしてもよい。
このような構成により、停電時における専有部での消費電力量を必要最小限に留めることができる。
【発明の効果】
【００１４】
停電時に各専有部の負荷へと電力を供給することができ、且つ停電時において各専有部の住人が電力を公平に使用することができる。
【図面の簡単な説明】
【００１５】
【図１】本発明の一実施形態に係る電力供給システムの構成を示したブロック図。
【図２】自動切替え盤及び簡易自動切替え盤の構成を示したブロック図。
【図３】通常時において、共用部の負荷及び専有部の負荷へ電力を供給する様子を示した図。
【図４】停電時において、共用部の負荷及び専有部の負荷へ電力を供給する様子を示した図。
【図５】一つの負荷によって構成される共有部の負荷へ電力を供給する電力供給システムを示したブロック図。
【図６】太陽光発電部を具備していない電力供給システムの構成を示したブロック図。
【図７】二つのパワコンを具備する電力供給システムを示したブロック図。
【図８】接続点よりも系統電源側に配置される自動切替え盤を具備する電力供給システムを示したブロック図。
【発明を実施するための形態】
【００１６】
以下では、本発明の一実施形態に係る電力供給システム１０について説明する。
【００１７】
図１に示す電力供給システム１０は、集合住宅に設けられ、集合住宅の共用部Ｈ１０の負荷及び複数の専有部Ｈ２０の負荷へ電力を供給するものである。
【００１８】
まず、共用部Ｈ１０及び専有部Ｈ２０について説明する。
【００１９】
共用部Ｈ１０は、集合住宅の住人が共通して使用する部分、具体的には、廊下、階段及びエレベータ等である。図１に示すように、共用部Ｈ１０には、系統電源３０からの電力が流通する配電線Ｌ１が配設される。共用部Ｈ１０の負荷には、配電線Ｌ１等を介して系統電源３０からの電力が供給される。共用部Ｈ１０の負荷には、重要負荷Ｈ１１及び一般負荷Ｈ１２が含まれる。
【００２０】
重要負荷Ｈ１１は、停電が発生しても電力が供給されることが好ましい機器である。このような重要負荷Ｈ１１としては、例えば、専有部Ｈ２０に水を供給するためのポンプ等がある。重要負荷Ｈ１１は、配電線Ｌ２を介して配電線Ｌ１の中途部と接続される。重要負荷Ｈ１１には、配電線Ｌ１・Ｌ２を介して系統電源３０からの電力が供給される。
【００２１】
一般負荷Ｈ１２は、停電発生時に電力が供給されなくても大きな支障のない機器である。このような一般負荷Ｈ１２としては、例えば、共用部Ｈ１０の空調設備等がある。一般負荷Ｈ１２は、配電線Ｌ３を介して配電線Ｌ１の中途部と接続される。配電線Ｌ３の系統電源３０側の端部は、配電線Ｌ１（配電線Ｌ２と接続される部分よりも系統電源３０側）と接続される。これによって、一般負荷Ｈ１２は、重要負荷Ｈ１１よりも系統電源３０側に配置される。
【００２２】
専有部Ｈ２０は、集合住宅の住人が専有して使用する部分、すなわち集合住宅に設けられる複数の住居である。専有部Ｈ２０の負荷は、共用部Ｈ１０の重要負荷Ｈ１１よりも系統電源３０に対して遠い側に配置される。専有部Ｈ２０の負荷には、配電線Ｌ１等を介して系統電源３０からの電力が供給される。専有部Ｈ２０の負荷には、重要負荷Ｈ２１及び一般負荷Ｈ２２が含まれる。
【００２３】
重要負荷Ｈ２１は、停電が発生しても電力が供給されることが好ましい機器である。このような重要負荷Ｈ２１としては、例えば、冷蔵庫やリビングの照明等がある。重要負荷Ｈ２１には、専有部Ｈ２０に設けられる分電盤の漏電ブレーカーＢ１（図２参照）及び分岐ブレーカーＢ２（図２参照）等を介して電力が供給される。
【００２４】
一般負荷Ｈ２２は、停電発生時に電力が供給されなくても大きな支障のない機器である。このような一般負荷Ｈ２２としては、例えば、音響機器等がある。一般負荷Ｈ２２には、前記分電盤の漏電ブレーカーＢ１（図２参照）及び図示せぬ分岐ブレーカー等を介して電力が供給される。
【００２５】
なお、図２から図４及び図６から図８においては、説明の便宜上、一つの専有部Ｈ２０のみを記載している。
【００２６】
次に、電力供給システム１０の構成について説明する。
【００２７】
電力供給システム１０は、太陽光発電部１１、蓄電装置１２、パワコン１３、自動切替え盤１４、簡易自動切替え盤１５、親売電メーター１６、親買電メーター１７及び子買電メーター１８等を具備する。
【００２８】
太陽光発電部１１は、太陽光を利用して発電する装置である。太陽光発電部１１は、枠体に複数の太陽電池を取り付けること等によって構成される太陽電池パネル等を具備する。太陽光発電部１１は、前記太陽電池パネルの太陽電池に太陽光が当たることで発電する。このような太陽光発電部１１の設置場所としては、例えば、集合住宅の屋上等の日当たりの良い場所がある。
【００２９】
蓄電装置１２は、太陽光発電部１１及び系統電源３０からの電力を充放電可能に構成される装置である。蓄電装置１２は、電力を充放電可能なリチウムイオン電池やニッケル水素電池等からなる蓄電池や、供給されてくる交流電力を整流して前記蓄電池に充電させる充電器等を具備する。このような蓄電装置１２の設置場所としては、例えば、共用部Ｈ１０に設けられる分電盤の近傍等がある。
【００３０】
パワコン１３は、太陽光発電部１１及び蓄電装置１２と接続されるハイブリッドパワーコンディショナーである。パワコン１３は、太陽光発電部１１及び蓄電装置１２よりも系統電源３０側に配置され、異なる二つの配電線を介して太陽光発電部１１及び蓄電装置１２とそれぞれ接続される。パワコン１３は、太陽光発電部１１で発電された直流電力を所定の電圧に適宜変換するコンバーターや直流電力を交流電力に変換するインバーターや動作を制御するための制御部等を具備する。パワコン１３は、太陽光発電部１１で発電された電力及び蓄電装置１２から放電された電力を適宜変換して共用部Ｈ１０及び専有部Ｈ２０の負荷（重要負荷Ｈ１１・Ｈ２１及び一般負荷Ｈ１２・Ｈ２２）へ供給可能であると共に、系統電源３０からの電力を蓄電装置１２へ供給（蓄電）可能に構成される。また、パワコン１３は、太陽光発電部１１で発電した電力を売電可能（系統電源３０に逆潮流可能）に構成される。
【００３１】
このように構成されるパワコン１３は、連系運転用の配電線Ｌ４を介して配電線Ｌ１の中途部と接続される。連系運転用の配電線Ｌ４の一端部は、パワコン１３の連系運転用の端子と接続される。連系運転用の配電線Ｌ４の他端部は、配電線Ｌ１（配電線Ｌ３と接続される部分よりも系統電源３０側）と接続される。これによって、太陽光発電部１１、蓄電装置１２及びパワコン１３は、共用部Ｈ１０の一般負荷Ｈ１２よりも系統電源３０側に配置される。
また、パワコン１３は、自立運転用の配電線Ｌ５を介して、後述する自動切替え盤１４と接続される。自立運転用の配電線Ｌ５の一端部は、パワコン１３の自立運転用の端子と接続される。自立運転用の配電線Ｌ５の他端部は、配電線Ｌ１（配電線Ｌ２が接続される部分と、配電線Ｌ３が接続される部分との間）と接続される（図２参照）。
【００３２】
また、パワコン１３は、電源トランス１３ａを具備する。電源トランス１３ａは、太陽光発電部１１で発電された電力及び蓄電装置１２から放電された電力の電圧を変換し、共用部Ｈ１０及び専有部Ｈ２０で使用可能にするためのものである。電源トランス１３ａは、自立運転用の配電線Ｌ５の中途部に設けられる。
【００３３】
また、パワコン１３は、系統電源３０からの供給電圧を検知する図示せぬセンサと接続される。前記センサは、配電線Ｌ１と連系運転用の配電線Ｌ４との接続点Ｐよりも系統電源３０側に配置され、系統電源３０からの供給電圧の検知結果をパワコン１３に入力する。
【００３４】
このようなパワコン１３は、連系運転及び自立運転を行うことができる。連系運転は、系統電源３０と連系して太陽光発電部１１及び蓄電装置１２を運転させるものである。連系運転を行う場合、パワコン１３は、系統電源３０と共に太陽光発電部１１及び蓄電装置１２から共用部Ｈ１０及び専有部Ｈ２０の負荷へ電力を供給したり、系統電源３０からの電力を蓄電装置１２へ供給する。連系運転を行う場合、パワコン１３は、連系運転用の配電線Ｌ４を介して電力を流通させる。
自立運転は、系統電源３０から独立して太陽光発電部１１及び蓄電装置１２を運転させるものである。自立運転を行う場合、パワコン１３は、自立運転用の配電線Ｌ５を介して、共用部Ｈ１０及び専有部Ｈ２０の負荷へ太陽光発電部１１及び蓄電装置１２からの電力を供給する。
【００３５】
自動切替え盤１４は、太陽光発電部１１及び蓄電装置１２から専有部Ｈ２０の負荷までの電力の流通経路を切り替えるものである。自動切替え盤１４は、共用部Ｈ１０（配電線Ｌ１の中途部）に設けられ、共用部Ｈ１０の一般負荷Ｈ１２と重要負荷Ｈ１１との間に配置される。自動切替え盤１４には、自立運転用の配電線Ｌ５が接続される。自動切替え盤１４には、配電線Ｌ１及び連系運転用の配電線Ｌ４を介して、又は自立運転用の配電線Ｌ５を介して太陽光発電部１１及び蓄電装置１２からの電力が供給される。自動切替え盤１４は、配電線Ｌ１を流通する経路と、自立運転用の配電線Ｌ５を流通する経路とのいずれか一方から、太陽光発電部１１及び蓄電装置１２からの電力が流通可能に構成される。図２に示すように、自動切替え盤１４は、第一のリレー１４ａ及び第二のリレー１４ｂを具備する。
【００３６】
第一のリレー１４ａは、系統電源３０、配電線Ｌ１の接続及び接続の解除（開閉状態の切替）を行うものである。第一のリレー１４ａは、配電線Ｌ１の中途部（自動切替え盤１４内）に設けられる。第一のリレー１４ａが閉状態となると、配電線Ｌ１（第一のリレー１４ａの接点同士）は、接続される。一方、第一のリレー１４ａが開状態となると、配電線Ｌ１の接続は、解除される。
【００３７】
第二のリレー１４ｂは、自立運転用の配電線Ｌ５の接続及び接続の解除（開閉状態の切替）を行うものである。第二のリレー１４ｂは、自立運転用の配電線Ｌ５の中途部（自動切替え盤１４内）に設けられる。第二のリレー１４ｂが閉状態となると、自立運転用の配電線Ｌ５（第二のリレー１４ｂの接点同士）は、接続される。一方、第二のリレー１４ｂが開状態となると、自立運転用の配電線Ｌ５の接続は、解除される。
【００３８】
このように構成される自動切替え盤１４は、第一のリレー１４ａ及び第二のリレー１４ｂのいずれか一方を開状態にすると共に他方を閉状態にする排他制御を行う。すなわち、自動切替え盤１４は、常に太陽光発電部１１及び蓄電装置１２と接続されている。また、自動切替え盤１４は、系統電源３０からの供給電圧を検知する前記センサと接続される。自動切替え盤１４には、前記センサから供給電圧の検知結果が入力される。
【００３９】
簡易自動切替え盤１５は、停電を検知したときに専有部Ｈ２０の一般負荷Ｈ２２への電力供給を停止するものである。簡易自動切替え盤１５は、専有部Ｈ２０の前記分電盤にそれぞれ設けられる。簡易自動切替え盤１５は、前記分電盤の漏電ブレーカーＢ１と、専有部Ｈ２０の一般負荷Ｈ２２との間に配置される。また、簡易自動切替え盤１５は、系統電源３０からの供給電圧を検知する前記センサと接続される。簡易自動切替え盤１５には、前記センサから供給電圧の検知結果が入力される。簡易自動切替え盤１５は、リレー１５ａを具備する。
【００４０】
リレー１５ａは、自動切替え盤１４と専有部Ｈ２０の一般負荷Ｈ２２との接続及び接続の解除（開閉状態の切替）を行うものである。リレー１５ａが閉状態となると、自動切替え盤１４と専有部Ｈ２０の一般負荷Ｈ２２とは、接続される。一方、リレー１５ａが開状態となると、自動切替え盤１４と専有部Ｈ２０の一般負荷Ｈ２２との接続は、解除される。
【００４１】
親売電メーター１６は、図１に示すように、太陽光発電部１１で発電した電力を売電した電力量（太陽光発電部１１から系統電源３０へと逆潮流させた電力量）を検知するものである。親売電メーター１６は、配電線Ｌ１の中途部に設けられる。親売電メーター１６は、配電線Ｌ１と連系運転用の配電線Ｌ４との接続点Ｐよりも系統電源３０側に配置される。
【００４２】
親買電メーター１７は、系統電源３０から共用部Ｈ１０及び専有部Ｈ２０の負荷へ供給された電力量（系統電源３０から買電した電力量）を検知するものである。親買電メーター１７は、配電線Ｌ１の中途部に設けられ、親売電メーター１６と接続点Ｐとの間に配置される。なお、図２から図４及び図６から図８においては、説明の便宜上、親売電メーター１６及び親買電メーター１７の表記を省略している。
【００４３】
子買電メーター１８は、専有部Ｈ２０の負荷へ供給された電力量を、専有部Ｈ２０毎に検知するものである。子買電メーター１８は、専有部Ｈ２０にそれぞれ設けられ、自動切替え盤１４と簡易自動切替え盤１５との間に配置される。このような子買電メーター１８と自動切替え盤１４との間には、共用部Ｈ１０の重要負荷Ｈ１１が配置される。
【００４４】
以下では、前述の如く構成された電力供給システム１０において、共用部Ｈ１０の負荷、専有部Ｈ２０の負荷及び蓄電装置１２へ電力を供給する流れについて説明する。
【００４５】
まず、通常時において共用部Ｈ１０の負荷、専有部Ｈ２０の負荷及び蓄電装置１２へ電力を供給する流れについて説明する。なお、本実施形態において通常時とは、停電していない状態を指す。
【００４６】
通常時において、系統電源３０からの供給電圧を検知する前記センサでの検知結果が０Ｖよりも大きい値となる。パワコン１３、自動切替え盤１４及び簡易自動切替え盤１５は、このような前記センサの検知結果に基づいて停電が発生していない（通常時である）と判断する。
【００４７】
図３に示すように、パワコン１３は、通常時であると判断すると、連系運転を行う。すなわち、パワコン１３は、太陽光発電部１１で発電された電力及び蓄電装置１２から放電された電力を連系運転用の配電線Ｌ４及び配電線Ｌ１から流通させる。
【００４８】
自動切替え盤１４は、通常時であると判断すると、第一のリレー１４ａを閉状態にすると共に、第二のリレー１４ｂを開状態にする。これによって、自動切替え盤１４は、連系運転用の配電線Ｌ４及び配電線Ｌ１〜Ｌ３を介して、系統電源３０、太陽光発電部１１及び蓄電装置１２からの電力を、共用部Ｈ１０及び専有部Ｈ２０の負荷（重要負荷Ｈ１１・Ｈ２１及び一般負荷Ｈ１２・Ｈ２２）へ供給可能な状態にする。すなわち、自動切替え盤１４は、通常時において、共用部Ｈ１０及び専有部Ｈ２０の負荷への電力の供給元が系統電源３０、太陽光発電部１１及び蓄電装置１２となるように、電力の流通経路を切り替える。
【００４９】
簡易自動切替え盤１５は、通常時であると判断すると、リレー１５ａを閉状態にする。これによって、簡易自動切替え盤１５は、配電線Ｌ１等を介して系統電源３０、太陽光発電部１１及び蓄電装置１２からの電力を専有部Ｈ２０の一般負荷Ｈ２２へ供給可能な状態にする。
【００５０】
以上のような状態において、系統電源３０からの電力は、配電線Ｌ１〜Ｌ３等を介して、共用部Ｈ１０及び専有部Ｈ２０負荷へ供給される。
【００５１】
また、太陽光発電部１１及び蓄電装置１２からの電力は、連系運転用の配電線Ｌ４及び配電線Ｌ１〜Ｌ３等を介して、共用部Ｈ１０及び専有部Ｈ２０の負荷へ供給される。このとき、太陽光発電部１１及び蓄電装置１２からの電力は、途中（配電線Ｌ１の接続点Ｐ）から系統電源３０と同じ経路を流通して共用部Ｈ１０及び専有部Ｈ２０の負荷へ供給されることとなる。
【００５２】
これによって、電力供給システム１０は、共用部Ｈ１０においてエレベーター及び給水用のポンプ等を駆動させたり、専有部Ｈ２０において照明器具や空調設備等を使用したりすることができる。
【００５３】
また、電力供給システム１０は、通常時において、共用部Ｈ１０及び専有部Ｈ２０の負荷の消費電力を、系統電源３０からの電力だけでなく、太陽光発電部１１及び蓄電装置１２からの電力で賄うことができる。これによって、系統電源３０から共用部Ｈ１０及び専有部Ｈ２０負荷へ供給される電力の電力量（買電した電力量）を減らすことができる。
【００５４】
親買電メーター１７は、このような通常時における系統電源３０からの電力量（系統電源３０から共用部Ｈ１０及び専有部Ｈ２０の負荷への電力量）を検知する。これによって、電力供給システム１０は、共用部Ｈ１０及び専有部Ｈ２０全体で系統電源３０から買電した電力量を把握することができる。
【００５５】
また、子買電メーター１８は、通常時において、系統電源３０からの電力量だけでなく、太陽光発電部１１及び蓄電装置１２からの電力量も検知する。これによって、子買電メーター１８は、系統電源３０、太陽光発電部１１及び蓄電装置１２から専有部Ｈ２０の負荷へ供給された電力量を、専有部Ｈ２０毎に把握することができる。
【００５６】
これによれば、電力供給システム１０は、集合住宅のオーナー等がアグリゲーター（電力小売事業者）となって、太陽光発電部１１や蓄電装置１２から専有部Ｈ２０の住人へ電力を供給（売電）することができる。また、本実施形態に係る電力供給システム１０は、太陽光発電部１１を具備することで自然エネルギーを利用して発電した電力を供給することができる。このため、前記アグリゲーターは、太陽光発電部１１で発電した電力量に応じて、専有部Ｈ２０の住人に請求する電気料金を下げることができる。これによって、電力供給システム１０は、集合住宅の入居率の向上に寄与することができる。
【００５７】
また、通常時において、太陽光発電部１１及び系統電源３０からの電力は、パワコン１３を介して適宜の時間帯に蓄電装置１２に充電される。このような適宜の時間帯としては、例えば、料金の安い深夜の時間帯や太陽光が十分に照射される昼間の時間帯等がある。電力供給システム１０は、深夜の時間帯に蓄電装置１２に充電し、昼間の時間帯に蓄電装置１２から放電することで、電気料金を節約することができる。また、電力供給システム１０は、昼間の時間帯に蓄電装置１２に充電することで、自然エネルギー（太陽光）を利用して発電された電力を蓄電装置１２に充電することができる。
【００５８】
次に、停電時において、共用部Ｈ１０及び専有部Ｈ２０の負荷へ電力を供給する流れについて説明する。
【００５９】
停電が発生すると、系統電源３０からの供給電圧を検知する前記センサでの検知結果が０Ｖとなる。パワコン１３、自動切替え盤１４及び簡易自動切替え盤１５は、このような前記センサの検知結果に基づいて停電が発生したと判断する。
【００６０】
図４に示すように、パワコン１３は、停電が発生したと判断すると、連系運転から自立運転に切り替える。すなわち、パワコン１３は、太陽光発電部１１で発電された電力及び蓄電装置１２から放電された電力を自立運転用の配電線Ｌ５から流通させる。
【００６１】
自動切替え盤１４は、停電が発生したと判断すると、第一のリレー１４ａを開状態にすると共に、第二のリレー１４ｂを閉状態にする。これによって、自動切替え盤１４は、太陽光発電部１１及び蓄電装置１２からの電力を、自立運転用の配電線Ｌ５及び配電線Ｌ１を介して、共用部Ｈ１０の重要負荷Ｈ１１、並びに専有部Ｈ２０の重要負荷Ｈ２１及び一般負荷Ｈ２２へ供給可能な状態にする。すなわち、自動切替え盤１４は、停電時において、共用部Ｈ１０及び専有部Ｈ２０の負荷への電力の供給元が太陽光発電部１１及び蓄電装置１２となるように、電力の流通経路を切り替える（共用部Ｈ１０及び専有部Ｈ２０から系統電源３０を切り離す）。
【００６２】
簡易自動切替え盤１５は、停電が発生したと判断すると、リレー１５ａを開状態にする。これによって、簡易自動切替え盤１５は、太陽光発電部１１及び蓄電装置１２からの電力を専有部Ｈ２０の一般負荷Ｈ２２へ供給不能な状態にする。
【００６３】
以上のような状態において、太陽光発電部１１及び蓄電装置１２からの電力は、パワコン１３及び自立運転用の配電線Ｌ５を介して自動切替え盤１４へ供給される。当該供給された電力は、配電線Ｌ１・Ｌ２を介して、共用部Ｈ１０の重要負荷Ｈ１１へ供給される。これによれば、電力供給システム１０は、停電時においても共用部Ｈ１０の重要負荷Ｈ１１を継続して動作させることができる。
【００６４】
また、前記自動切替え盤１４へ供給された電力は、配電線Ｌ１及び簡易自動切替え盤１５を介して、専有部Ｈ２０の重要負荷Ｈ２１へ供給される。
【００６５】
これによれば、電力供給システム１０は、停電時に共用部Ｈ１０の重要負荷Ｈ１１だけでなく、専有部Ｈ２０の重要負荷Ｈ２１にも太陽光発電部１１及び蓄電装置１２からの電力を供給することができる。従って、電力供給システム１０は、停電時においても、専有部Ｈ２０の重要負荷Ｈ２１を継続して動作させることができる。これによって、電力供給システム１０は、持ち運びが困難な負荷、例えば冷蔵庫等を停電時に専有部Ｈ２０で継続して動作させることができる。また、電力供給システム１０は、停電時に専有部Ｈ２０の一部の住人だけが電力を使用して、他の住人が電力を使用することができなくなるような事態の発生を回避することができる。また、電力供給システム１０は、自動切替え盤１４と子買電メーター１８との間に共用部Ｈ１０の負荷（重要負荷Ｈ１１）が配置されているため、停電発生時における専有部Ｈ２０の負荷への電力の供給元の切り替え動作によって、共用部Ｈ１０の負荷への電力の供給元も蓄電装置１２に切り替えることができる。
【００６６】
ここで、前記自動切替え盤１４へ供給された電力は、配電線Ｌ１を流通して専有部Ｈ２０の重要負荷Ｈ２１へ供給されることとなる。これによれば、子買電メーター１８は、停電時において、前記専有部Ｈ２０の重要負荷Ｈ２１へ供給された電力の電力量を、専有部Ｈ２０毎に検知することができる。これによって、電力供給システム１０は、停電時における専有部Ｈ２０での消費電力量（専有部Ｈ２０の住人が使用した電力量）に応じて専有部Ｈ２０の住人から電気料金を徴収することが可能となる。
【００６７】
停電時において、パワコン１３は、系統電源３０から独立して運転する（連系運転用の配電線Ｌ４を電力が流通しない）。また、自動切替え盤１４は、共用部Ｈ１０の一般負荷Ｈ１２と重要負荷Ｈ１１との間に配置されている。このため、自動切替え盤１４は、停電時に第一のリレー１４ａを開状態にすることで、太陽光発電部１１及び蓄電装置１２から共用部Ｈ１０の一般負荷Ｈ１２への電力供給を停止することができる。これによれば、電力供給システム１０は、停電時における共用部Ｈ１０での消費電力量を必要最小限に留めることができる。また、自動切替え盤１４は、停電発生時における専有部Ｈ２０の負荷への電力の供給元の切り替え動作によって、共用部Ｈ１０の一般負荷Ｈ１２への電力供給も停止することができる。このため、電力供給システム１０は、配電線Ｌ３等に共用部Ｈ１０の一般負荷Ｈ１２への電力供給を停止するためのリレー等を設けることなく、簡単に共用部Ｈ１０の一般負荷Ｈ１２への電力供給を停止することができる。
【００６８】
停電時において、簡易自動切替え盤１５のリレー１５ａが開状態であるため、専有部Ｈ２０の一般負荷Ｈ２２には、電力が供給されない。これによれば、電力供給システム１０は、停電時における専有部Ｈ２０での消費電力量を必要最小限に留めることができる。このため、電力供給システム１０は、停電時において専有部Ｈ２０の住人に公平に電力を供給することができる（一部の住人が停電時に大量に電力を使用することを防止できる）。
【００６９】
以上の如く、本実施形態に係る電力供給システム１０は、共用部Ｈ１０の負荷と複数の専有部Ｈ２０の負荷とに系統電源３０からの電力を供給する電力供給システム１０であって、前記系統電源３０からの電力を充放電可能な蓄電装置１２と、前記蓄電装置１２及び前記系統電源３０から前記各専有部Ｈ２０の負荷へ供給される電力量を、前記専有部Ｈ２０毎に検知する子買電メーター１８（電力メータ）と、前記系統電源３０と前記子買電メーター１８との間に配置されると共に前記蓄電装置１２と接続され、停電が発生すると、前記各専有部Ｈ２０の負荷への電力の供給元を、前記系統電源３０から前記蓄電装置１２に切り替える自動切替え盤１４（切替部）と、を具備するものである。
このような構成により、停電時に専有部Ｈ２０の負荷へと電力を供給することができ、且つ停電時において専有部Ｈ２０の住人が電力を公平に使用することができる。
【００７０】
また、前記停電が発生すると、前記蓄電装置１２から前記各専有部Ｈ２０の一般負荷Ｈ２２（一部の負荷）への電力供給を停止する簡易自動切替え盤１５（停止部）をさらに具備するものである。
このような構成により、停電時における専有部Ｈ２０での消費電力量を必要最小限に留めることができる。
【００７１】
前記自動切替え盤１４は、前記停電が発生すると、前記共用部Ｈ１０の負荷への電力の供給元を、前記系統電源３０から前記蓄電装置１２に切り替える。
このような構成により、停電時に共用部Ｈ１０の負荷へと電力を供給することができる。
【００７２】
また、前記自動切替え盤１４は、前記停電が発生した際の切り替え動作によって、前記蓄電装置１２から前記共用部Ｈ１０の一般負荷Ｈ１２（一部の負荷）への電力供給を停止するものである。
このような構成により、停電時における共用部Ｈ１０での消費電力量を必要最小限に留めることができる。
【００７３】
また、本実施形態に係る自動切替え盤１４は、停電を検知すると、各専有部の負荷への電力の供給元を、系統電源から蓄電装置に切り替える切替部の実施の一形態である。
また、本実施形態に係る簡易自動切替え盤１５は、蓄電装置から専有部の一般負荷への電力供給を停止する停止部の実施の一形態である。
また、本実施形態に係る子買電メーター１８は、蓄電装置及び系統電源から専有部へ供給される電力量を検知する電力メーターの実施の一形態である。
また、本実施形態に係る専有部Ｈ２０の一般負荷Ｈ２２は、各専有部の一部の負荷の実施の一形態である。
また、本実施形態に係る共用部Ｈ１０の一般負荷Ｈ１２は、共用部の一部の負荷の実施の一形態である。
【００７４】
以上、本発明の実施形態を説明したが、本発明は上記構成に限定されるものではなく、特許請求の範囲に記載された発明の範囲内で種々の変更が可能である。
【００７５】
例えば、電力供給システム１０による電力の供給対象は、本実施形態のような集合住宅に限定されるものでない。すなわち、電力供給システム１０は、大規模分譲地に設けられる複数の戸建て住宅に電力を供給するものであってもよい。
【００７６】
また、共用部Ｈ１０の負荷には、必ずしも重要負荷Ｈ１１と一般負荷Ｈ１２とが含まれる必要はない。すなわち、図５に示すように、共用部Ｈ１０の負荷は、一つの負荷Ｈ１３によって構成されるものであってもよい。この場合、一つの負荷Ｈ１３に重要負荷と一般負荷とが含まれる。これは、専有部Ｈ２０においても同様である。
【００７７】
また、電力供給システム１０は、停電時に専有部Ｈ２０の負荷へ電力を供給すればよく、必ずしも停電時に共用部Ｈ１０の負荷へ電力を供給する必要はない。
【００７８】
また、パワコン１３は、必ずしも電源トランス１３ａを具備する必要はない。この場合、例えば、パワコン１３は、予め所定の設定が行われて電源トランス１３ａの動作と同様の動作を行うことが可能となるように構成されていれば良い。
【００７９】
また、電力供給システム１０は、必ずしも太陽光発電部１１を具備する必要はなく、図６に示すように、蓄電装置１２だけを具備する（太陽光発電部１１を具備していない）ものであってもよい。この場合、電力供給システム１０は、本実施形態のようなハイブリッドパワーコンディショナー（パワコン１３）ではなく、蓄電装置１２の充放電のみを行うパワーコンディショナーとして構成されるパワコン１１３を具備する。また、パワコン１１３は、蓄電装置１２から放電された電力の電圧を変換する電源トランス１１３ａを具備する。このような電源トランス１１３ａは、自立運転用の配電線Ｌ５の中途部に設けられる。
【００８０】
また、パワコン１３は、ハイブリッドパワーコンディショナーである必要はない。すなわち、図７に示すように、電力供給システム１０は、太陽光発電部１１からの電力を適宜変換するパワコン２１３ａと、蓄電装置１２の充放電を行うパワコン２１３ｂとを具備する構成であってもよい。この場合、パワコン２１３ｂは、図６に示す電源トランス１１３ａと同様に構成される電源トランス２１３ｃを具備するものであってもよい。
また、この場合、太陽光発電部１１及びパワコン２１３ａは、蓄電装置１２よりも系統電源３０側に配置され、停電時に共用部Ｈ１０に設けられる自立コンセント２１１ａへ電力を供給するものであってもよい。
【００８１】
また、自動切替え盤１４の構成は、本実施形態のような第一のリレー１４ａ及び第二のリレー１４ｂを具備するものに限定されるものでない。すなわち、図８に示す自動切替え盤３１４のように、一つのリレー３１４ａを具備するものであってもよい。この場合、自動切替え盤３１４は、配電線Ｌ１と連系運転用の配電線Ｌ４との接続点Ｐよりも系統電源３０側に配置される。また、自動切替え盤３１４は、共用部Ｈ１０の一般負荷Ｈ１２よりも系統電源３０に対して遠い側に配置され、停電を検知したときにリレー３１４ａを開状態にする。これによって、自動切替え盤３１４は、停電時に電力の供給元を切り替えることができると共に、前記切り替え動作によって共用部Ｈ１０の一般負荷Ｈ１２への電力供給も停止することができる。
【００８２】
また、パワコン１３、自動切替え盤１４及び簡易自動切替え盤１５は、必ずしも系統電源３０からの供給電圧に基づいて停電が発生しているかどうかを判断する必要はない。すなわち、パワコン１３、自動切替え盤１４及び簡易自動切替え盤１５は、系統電源３０からの供給電力量に基づいて停電が発生しているかどうかを判断してもよい。また、所定の制御装置が停電発生を検知して、パワコン１３、自動切替え盤１４及び簡易自動切替え盤１５を適宜動作させるもの（パワコン１３等が停電発生を検知しない構成）であってもよい。
【００８３】
また、電力供給システム１０は、必ずしも通常時において太陽光発電部１１及び蓄電装置１２からの電力を専有部Ｈ２０の負荷へ供給する必要はない。すなわち、電力供給システム１０は、通常時において太陽光発電部１１及び蓄電装置１２からの電力を共用部Ｈ１０の負荷だけへ供給してもよい。
【符号の説明】
【００８４】
１０    電力供給システム
１２    蓄電装置
１４    自動切替え盤（切替部）
１８    子買電メーター（電力メーター）
３０    系統電源
Ｈ１０  共用部
Ｈ２０  専有部
【図１】
0006602046.tif 000002
【図２】
0006602046.tif 000003
【図３】
0006602046.tif 000004
【図４】
0006602046.tif 000005
【図５】
0006602046.tif 000006
【図６】
0006602046.tif 000007
【図７】
0006602046.tif 000008
【図８】
0006602046.tif 000009